(57)【要約】【課題】本発明は、携帯電話のような通信システムのユーザに対して、互いの要求条件を満たす別のユーザの存在を報知するシステムの提供を目的とする。【解決手段】本発明のユビキタスマッチングシステムは、通信可能に接続された端末から発信される信号を狭いゾーンに対応した低感度で検出することにより端末の位置情報を取得し、取得された端末の位置情報に基づいて、同一ゾーンに在圏する端末同士に互いの存在を報知する。端末から発信される信号を検出する感度を低くすることにより、端末の位置情報の検出精度が高まるので、近くに存在する端末、即ち、近くに居る人物の存在を相互に報知することが可能である。【選択図】        図１
2004328308.tif 000002
【特許請求の範囲】
【請求項１】
通信可能に接続された端末から発信される信号を狭いゾーンに対応した低感度で検出することにより端末の位置情報を取得し、
取得された端末の位置情報に基づいて、同一ゾーンに在圏する端末同士に互いの存在を報知する、
ユビキタスマッチング方法。
【請求項２】
同一ゾーンに在圏する端末のユーザ同士に互いの存在を報知するユビキタスマッチング方法であって、
ユーザのユーザ特定情報及びマッチング条件を登録し、
登録されているユーザの端末から発信される信号を狭いゾーンに対応した低感度で検出することにより、ユーザが在圏するゾーンを表す位置情報を取得し、
登録されているユーザのユーザ特定情報及びマッチング条件に関連付けて、取得された位置情報を保存し、
保存されているユーザの位置情報及びマッチング条件から、同一ゾーンに在圏し、かつ、共通のマッチング条件を満たすユーザの組を検出し、
検出された各組のユーザのユーザ特定情報に基づいて、各ユーザに対し同じ組に属する他のユーザのアクセス情報を通知する、
ユビキタスマッチング方法。
【請求項３】
登録されたマッチング条件は、ユーザのリストにより表現され、
相手方のユーザの登録したユーザのリストに相互に掲載されているユーザは、マッチング条件を満たすユーザ同士であると判定される、
請求項２記載のユビキタスマッチング方法。
【請求項４】
登録されたマッチング条件は、属性項目と属性データにより表現され、
登録されている属性項目及び属性データが一致しているユーザは、マッチング条件を満たすユーザ同士であると判定される、
請求項２又は３記載のユビキタスマッチング方法。
【請求項５】
登録されているユーザは、ユーザの組の要素として検出されるかどうかを自分の携帯端末から指定できる、請求項２乃至４のうち何れか一項記載のユビキタスマッチング方法。
【請求項６】
ユーザの組の検出は、ユーザの携帯端末からの要求によって始動される、請求項２乃至５のうち何れか一項記載のユビキタスマッチング方法。
【請求項７】
通信システムを介して通信可能な端末と、
端末から発信される信号を狭いゾーンに対応した低感度で検出することにより、端末の位置情報を取得する端末位置情報取得システムと、
端末位置情報取得システムから得られる端末の位置情報に基づいて、同一ゾーンに在圏する端末のユーザ同士に互いの存在を報知するサービス提供サーバと、を含む、
ユビキタスマッチングシステム。
【請求項８】
サービス提供サーバは、
端末からユーザ特定情報及びマッチング条件を受信し、データ記憶部に登録するユーザ登録部と、
端末位置情報取得システムから端末の位置情報を受信し、データ記憶部に登録されているユーザ特定情報及びマッチング条件に関連付けて位置情報をデータ記憶部に保存する位置情報収集部と、
データ記憶部に保存されているユーザの位置情報及びマッチング条件から、同一ゾーンに在圏し、かつ、共通のマッチング条件を満たすユーザの組を検出するマッチング部と、
検出された各組のユーザのユーザ特定情報に基づいて、各ユーザに対し同じ組に属する他のユーザのアクセス情報を通知するアクセス情報通知部と、
を具備する、
請求項７記載のユビキタスマッチングシステム。
【請求項９】
上記通信システムは、カバーエリア内の端末からの位置登録要求信号を受信し上記端末と無線通信する基地局、及び、移動通信に必要な情報を管理し上記基地局を制御する制御局を備えた移動通信システムであり、
上記端末位置情報取得システムは、
上記移動通信システムと、
上記基地局のカバーエリア内で既知の位置情報と関連付けられた場所に設置され、端末から送出された位置登録要求信号を上記基地局よりも低い感度で受信し、位置登録要求信号を送出した端末の識別情報を上記制御局へ通知する低感度基地局と、
を有し、
上記制御局は、位置登録要求信号を送出した端末の識別情報と、該端末の識別情報を該制御局へ通知した低感度基地局の識別情報と、を上記サービス提供サーバへ送信し、
上記サービス提供サーバは、該低感度基地局の識別情報に関連付けられた位置情報を、位置登録要求信号を送出した該端末の識別情報に対応したユーザの位置情報として使用する、
請求項７又は８記載のユビキタスマッチングシステム。
【請求項１０】
上記端末位置情報取得システムは、既知の位置情報と関連付けられた場所に設置され、端末から送出された端末識別番号を受信し、受信した端末識別番号を上記サービス提供サーバへ送信する低感度基地局を有し、
上記サービス提供サーバは、低感度基地局から受信した端末識別番号に対応した端末のユーザの位置情報として、該端末識別番号を該サービス提供サーバへ送信した低感度基地局の識別情報に関連付けられた位置情報を使用する、
請求項７又は８記載のユビキタスマッチングシステム。
【請求項１１】
端末は無線ＬＡＮシステムを介して通信可能であり、
上記端末位置情報取得システムは、
カバーエリア内の無線ＬＡＮ端末と無線リンクを確立し、無線リンクを確立した無線ＬＡＮ端末をネットワークに接続する無線ＬＡＮ基地局と、
上記無線ＬＡＮ基地局に接続され、上記無線ＬＡＮ基地局に接続されている無線ＬＡＮ端末のユーザが正当なユーザであるかどうかを確認する認証サーバと、
正当なユーザであることが確認された認証済みユーザの無線ＬＡＮ端末の端末アドレス及び上記無線ＬＡＮ基地局の無線ＬＡＮ基地局アドレスを上記無線ＬＡＮ基地局から取得し、上記認証済みユーザの認証データを上記認証サーバから取得する管理サーバと、
を有し、
上記管理サーバは、上記無線ＬＡＮ基地局アドレス及び上記認証データを上記サービス提供サーバへ送信するように構成され、
上記サービス提供サーバは、上記無線ＬＡＮ基地局アドレスに関連付けられた位置情報を、上記認証データに対応したユーザの位置情報として使用する、
請求項７又は８記載のユビキタスマッチングシステム。
【請求項１２】
端末位置情報取得システムは、
ユーザの端末と共に携帯され、端末を所有するユーザのユーザ情報を送信するＩＤ送信機と、
既知の位置情報に関連付けられた場所に設置され、カバーエリア内に存在するユーザの端末のＩＤ送信機から送信されたユーザ情報を受信するＩＤ受信機と、を有し、
上記ＩＤ受信機は、受信したユーザ情報及び該ＩＤ受信機の識別情報を上記サービス提供サーバへ送信するように構成され、
上記サービス提供サーバは、上記ＩＤ受信機の識別情報に関連付けられた既知の位置情報を、上記ユーザ情報に対応したユーザの位置情報として使用する、
請求項７又は８記載のユビキタスマッチングシステム。
【請求項１３】
上記通信システムは、カバーエリア内の端末からの位置登録要求信号を受信し上記端末と無線通信する基地局、及び、移動通信に必要な情報を管理し上記基地局を制御する制御局を備えた移動通信システムにより構成され、
上記端末位置情報取得システムは上記移動通信システムを含み、
上記制御局は、
上記基地局の識別情報と上記基地局の位置情報とを関連付ける位置情報管理部と、
位置登録要求信号を送出した端末の識別情報を通知した基地局に関連付けられた位置情報を上記位置情報管理部から取得し、上記取得した位置情報を当該端末の位置情報として端末の識別情報に関連付ける位置情報取得部と、
位置登録要求信号を送出した端末の識別情報を移動通信システムのユーザ管理情報と関連付けることにより、端末の所有者を識別するユーザ識別部と、
を含み、
上記制御局は、該端末の位置情報と該端末の識別された所有者に対応するユーザ情報を上記サービス提供サーバへ送信するように構成され、
上記サービス提供サーバは、該端末の位置情報を、上記ユーザ情報に対応したユーザの位置情報として使用する、
請求項７又は８記載のユビキタスマッチングシステム。
【請求項１４】
通信システムを介して通信可能な端末からユーザ特定情報及びマッチング条件を受信し、データ記憶部に登録するユーザ登録部と、
ゾーン内の端末から発信される信号を受信する端末位置情報取得システムから端末の位置情報を受信し、データ記憶部に登録されているユーザ特定情報及びマッチング条件に関連付けて位置情報をデータ記憶部に保存する位置情報収集部と、
データ記憶部に保存されているユーザの位置情報及びマッチング条件から、同一ゾーンに在圏し、かつ、共通のマッチング条件を満たすユーザの組を検出するマッチング部と、
検出された各組のユーザのユーザ特定情報に基づいて、各ユーザに対し同じ組に属する他のユーザのアクセス情報を通知するアクセス情報通知部と、
を有し、
同一ゾーンに在圏する端末のユーザ同士に互いの存在を報知するサービス提供サーバ。
【請求項１５】
通信システムを介して通信可能な端末からユーザ特定情報及びマッチング条件を受信し、データ記憶部に登録するユーザ登録機能と、
ゾーン内の端末から発信される信号を受信する端末位置情報取得システムから端末の位置情報を受信し、データ記憶部に登録されているユーザ特定情報及びマッチング条件に関連付けて位置情報をデータ記憶部に保存する位置情報収集機能と、
データ記憶部に保存されているユーザの位置情報及びマッチング条件から、同一ゾーンに在圏し、かつ、共通のマッチング条件を満たすユーザの組を検出するマッチング機能と、
検出された各組のユーザのユーザ特定情報に基づいて、各ユーザに対し同じ組に属する他のユーザのアクセス情報を通知するアクセス情報通知機能と、
をコンピュータに実現させるためのプログラム。
【請求項１６】
請求項１５記載のプログラムを記録した記録媒体。
【発明の詳細な説明】
【０００１】
【発明の属する技術分野】
本発明は、移動通信システムに係り、特に、移動通信システムのユーザに他のユーザに関する情報を提供するシステム及び方法に関する。
【０００２】
【従来の技術】
近年の携帯電話機などの携帯端末の普及に伴って、人が多く集まる場所で友人や知人と待ち合わせている携帯電話機のユーザは、近くに居ることが予想される待ち合わせ相手の友人や知人と携帯電話機を用いて連絡を取り合うことがある。このような状況では、このユーザと、その友人や知人は予め待ち合わせの場所・時間を調整していると考えられる。
【０００３】
これに対して、多数の人が集まる場所に出向いた携帯電話機のユーザは、予め約束をしていなくても、もし、友人や知人が同じ場所に居るならば、それらの友人や知人と連絡を取り、例えば、行動を共にしたいと考える場合がある。このような状況では、このユーザは、最初に、自分のアドレス帳に掲載されている友人や知人に電話をかけ、その友人や知人が同じ場所に居るかどうかを確かる必要があり、同じ場所又は近辺に居ることを確認した上で、待ち合わせの約束をする必要がある。このように、例えば、イベント会場、繁華街、駅構内などのように多数の人が集まる場所に出向いた携帯電話機のユーザは、もし、近くに居る友人や知人を知ることができるならば、折角の機会を利用して連絡を取りたい、或いは、その人と会いたい、と思うことがよくある。
【０００４】
従来、ある人の要求に合った人物を紹介するサービス（例えば、求人、お見合い等のサービス）は行われているが、これらのサービスは、インターネットや郵送等による紹介であるため、ある人がその場で直ぐに相手と会うことは不可能であり、別途何らかの方法で約束をしたり、待ち合わせ場所を調整したりするための手順が必要である。
【０００５】
【発明が解決しようとする課題】
したがって、本発明は、携帯電話のような通信システムのユーザに対して、互いの要求条件を満たす別のユーザの存在を報知するシステム及び方法の提供を目的とする。
【０００６】
【課題を解決するための手段】
上記目的を達成するため、本発明は、通信システムと位置センシングシステムを組み合わせて、近くに居る友人・知人や共通の意識を持っている人などのように相互に要求条件を満たす人物の存在を相互に報知するユビキタスマッチング方法に関する。
【０００７】
請求項１に係る発明は、通信可能に接続された端末から発信される信号を狭いゾーンに対応した低感度で検出することにより端末の位置情報を取得し、
取得された端末の位置情報に基づいて、同一ゾーンに在圏する端末同士に互いの存在を報知する、ユビキタスマッチング方法である。
【０００８】
端末から発信される信号を検出する感度を低くすることにより、端末の位置情報の検出精度が高まるので、近くに存在する端末、即ち、近くに居る人物の存在を相互に報知することが可能である。
【０００９】
請求項２に係る発明は、同一ゾーンに在圏する端末のユーザ同士に互いの存在を報知するユビキタスマッチング方法であって、
ユーザのユーザ特定情報及びマッチング条件を登録し、
登録されているユーザの端末から発信される信号を狭いゾーンに対応した低感度で検出することにより、ユーザが在圏するゾーンを表す位置情報を取得し、
登録されているユーザのユーザ特定情報及びマッチング条件に関連付けて、取得された位置情報を保存し、
保存されているユーザの位置情報及びマッチング条件から、同一ゾーンに在圏し、かつ、共通のマッチング条件を満たすユーザの組を検出し、
検出された各組のユーザのユーザ特定情報に基づいて、各ユーザに対し同じ組に属する他のユーザのアクセス情報を通知する。
【００１０】
これにより、近くに居る友人・知人や共通の意識を持っている人などのように相互にマッチング条件（要求条件）を満たす人物の存在が、その人物へのアクセス情報を用いて相互に報知され得る。ユーザは、相手側へのアクセス情報を入手できるので、直ちに連絡を取り合うことができる。
【００１１】
このユビキタスマッチング方法において、登録されたマッチング条件は、ユーザのリストにより表現され、相手方のユーザの登録したユーザのリストに相互に掲載されているユーザは、マッチング条件を満たすユーザ同士であると判定される。これにより、ユーザは、予め登録しておいた友人や知人が近くに居る場合、相互にその存在を認識することができる。
【００１２】
さらに、このユビキタスマッチング方法において、登録されたマッチング条件は、属性項目と属性データにより表現され、登録されている属性項目及び属性データが一致しているユーザは、マッチング条件を満たすユーザ同士であると判定される。これにより、ユーザは、登録した属性項目と属性データが一致しているならば、以前からの友人や知人以外の人物の存在を認識することができる。
【００１３】
さらに、ユビキタスマッチング方法において、登録されているユーザは、ユーザの組の要素として検出されるかどうかを自分の携帯端末から指定できる。これにより、ユーザは、自分の存在を他のユーザに知らせるかどうかを自分で制御することができる。
【００１４】
さらに、このユビキタスマッチング方法において、ユーザの組の検出は、ユーザの携帯端末からの要求によって始動される。これにより、近くに居る人物の報知動作は、あるユーザが要求を発行した特定の時間と場所で実行される。これにより、報知動作が常時行われる場合に比べて、システム側の処理量が軽減されると共に、各ユーザへの通知による介入の頻度が制限される。
【００１５】
更に、本発明は、上記のユビキタスマッチング方法を実現するユビキタスマッチングシステムに関する。
【００１６】
請求項７に係る発明は、通信システムを介して通信可能な端末と、
端末から発信される信号を狭いゾーンに対応した低感度で検出することにより、端末の位置情報を取得する端末位置情報取得システムと、
端末位置情報取得システムから得られる端末の位置情報に基づいて、同一ゾーンに在圏する端末のユーザ同士に互いの存在を報知するサービス提供サーバと、を含む、
ユビキタスマッチングシステムである。
【００１７】
端末位置情報取得システムの検出感度を低くすることにより、端末の位置情報の検出精度が高まるので、近くに存在する端末、即ち、近くに居る人物の存在を相互に報知することが可能である。
【００１８】
更に、このユビキタスマッチングシステムにおいて、サービス提供サーバは、端末からユーザ特定情報及びマッチング条件を受信し、データ記憶部に登録するユーザ登録部と、
端末位置情報取得システムから端末の位置情報を受信し、データ記憶部に登録されているユーザ特定情報及びマッチング条件に関連付けて位置情報をデータ記憶部に保存する位置情報収集部と、
データ記憶部に保存されているユーザの位置情報及びマッチング条件から、同一ゾーンに在圏し、かつ、共通のマッチング条件を満たすユーザの組を検出するマッチング部と、
検出された各組のユーザのユーザ特定情報に基づいて、各ユーザに対し同じ組に属する他のユーザのアクセス情報を通知するアクセス情報通知部と、
を具備する。
【００１９】
これにより、ユビキタスマッチングシステムは、近くに居る友人・知人や共通の意識を持っている人などのように相互にマッチング条件（要求条件）を満たす人物の存在を、その人物へのアクセス情報を用いて相互に報知することが可能になる。ユーザは、相手側へのアクセス情報を入手できるので、直ちに連絡を取り合うことができる。
【００２０】
次に、ユビキタスマッチングシステムの端末位置情報取得システムは、端末同士の通信に利用される通信システムのタイプに応じて構成される。
【００２１】
請求項９に係る発明は、携帯電話のような移動通信システムと、低感度基地局を用いた端末位置情報取得システムが組み合わされ、端末位置情報取得システムは、位置情報の取得のため移動通信システムを利用する、ユビキタスマッチングシステムである。このユビキタスマッチングシステムにおいて、上記通信システムは、カバーエリア内の端末からの位置登録要求信号を受信し上記端末と無線通信する基地局、及び、移動通信に必要な情報を管理し上記基地局を制御する制御局を備えた移動通信システムであり、
上記端末位置情報取得システムは、
上記移動通信システムと、
上記基地局のカバーエリア内で既知の位置情報と関連付けられた場所に設置され、端末から送出された位置登録要求信号を上記基地局よりも低い感度で受信し、位置登録要求信号を送出した端末の識別情報を上記制御局へ通知する低感度基地局と、
を有し、
上記制御局は、位置登録要求信号を送出した端末の識別情報と、該端末の識別情報を該制御局へ通知した低感度基地局の識別情報と、を上記サービス提供サーバへ送信し、
上記サービス提供サーバは、該低感度基地局の識別情報に関連付けられた位置情報を、位置登録要求信号を送出した該端末の識別情報に対応したユーザの位置情報として使用する。
【００２２】
請求項１０に係る発明は、携帯電話のような移動通信システムと、低感度基地局を用いた端末位置情報取得システムが組み合わされ、端末位置情報取得システムが移動通信システムとは別個に設置される、ユビキタスマッチングシステムである。このユビキタスマッチングシステムにおいて、上記端末位置情報取得システムは、既知の位置情報と関連付けられた場所に設置され、端末から送出された端末識別番号を受信し、受信した端末識別番号を上記サービス提供サーバへ送信する低感度基地局を有し、
上記サービス提供サーバは、低感度基地局から受信した端末識別番号に対応した端末のユーザの位置情報として、該端末識別番号を該サービス提供サーバへ送信した低感度基地局の識別情報に関連付けられた位置情報を使用する。
【００２３】
請求項１１に係る発明は、通信システムが無線ＬＡＮシステムにより構成され、端末位置情報取得システムがこの無線ＬＡＮシステムを利用する、ユビキタスマッチングシステムである。このユビキタスマッチングシステムにおいて、端末は無線ＬＡＮシステムを介して通信可能であり、
上記端末位置情報取得システムは、
カバーエリア内の無線ＬＡＮ端末と無線リンクを確立し、無線リンクを確立した無線ＬＡＮ端末をネットワークに接続する無線ＬＡＮ基地局と、
上記無線ＬＡＮ基地局に接続され、上記無線ＬＡＮ基地局に接続されている無線ＬＡＮ端末のユーザが正当なユーザであるかどうかを確認する認証サーバと、
正当なユーザであることが確認された認証済みユーザの無線ＬＡＮ端末の端末アドレス及び上記無線ＬＡＮ基地局の無線ＬＡＮ基地局アドレスを上記無線ＬＡＮ基地局から取得し、上記認証済みユーザの認証データを上記認証サーバから取得する管理サーバと、
を有し、
上記管理サーバは、上記無線ＬＡＮ基地局アドレス及び上記認証データを上記サービス提供サーバへ送信するように構成され、
上記サービス提供サーバは、上記無線ＬＡＮ基地局アドレスに関連付けられた位置情報を、上記認証データに対応したユーザの位置情報として使用する。
【００２４】
請求項１２に係る発明は、携帯電話のような移動通信システムと、ＩＤ送信機及びＩＤ受信機を用いた端末位置情報取得システムが組み合わされ、端末位置情報取得システムが移動通信システムとは別個に設置される、ユビキタスマッチングシステムである。このユビキタスマッチングシステムにおいて、端末位置情報取得システムは、
ユーザの端末と共に携帯され、端末を所有するユーザのユーザ情報を送信するＩＤ送信機と、
既知の位置情報に関連付けられた場所に設置され、カバーエリア内に存在するユーザの端末のＩＤ送信機から送信されたユーザ情報を受信するＩＤ受信機と、を有し、
上記ＩＤ受信機は、受信したユーザ情報及び該ＩＤ受信機の識別情報を上記サービス提供サーバへ送信するように構成され、
上記サービス提供サーバは、上記ＩＤ受信機の識別情報に関連付けられた既知の位置情報を、上記ユーザ情報に対応したユーザの位置情報として使用する。
【００２５】
請求項１３に係る発明は、通信システムがＰＨＳのような移動通信システムにより構成され、端末位置情報取得システムがこの移動通信システムを利用する、ユビキタスマッチングシステムである。このユビキタスマッチングシステムにおいて、上記通信システムは、カバーエリア内の端末からの位置登録要求信号を受信し上記端末と無線通信する基地局、及び、移動通信に必要な情報を管理し上記基地局を制御する制御局を備えた移動通信システムにより構成され、
上記端末位置情報取得システムは上記移動通信システムを含み、
上記制御局は、
上記基地局の識別情報と上記基地局の位置情報とを関連付ける位置情報管理部と、
位置登録要求信号を送出した端末の識別情報を通知した基地局に関連付けられた位置情報を上記位置情報管理部から取得し、上記取得した位置情報を当該端末の位置情報として端末の識別情報に関連付ける位置情報取得部と、
位置登録要求信号を送出した端末の識別情報を移動通信システムのユーザ管理情報と関連付けることにより、端末の所有者を識別するユーザ識別部と、
を含み、
上記制御局は、該端末の位置情報と該端末の識別された所有者に対応するユーザ情報を上記サービス提供サーバへ送信するように構成され、
上記サービス提供サーバは、該端末の位置情報を、上記ユーザ情報に対応したユーザの位置情報として使用する。
【００２６】
更に、本発明は、上記のユビキタスマッチングシステムに使用されるサービス提供サーバに関する。
【００２７】
請求項１４に係る発明は、通信システムを介して通信可能な端末からユーザ特定情報及びマッチング条件を受信し、データ記憶部に登録するユーザ登録部と、
ゾーン内の端末から発信される信号を受信する端末位置情報取得システムから端末の位置情報を受信し、データ記憶部に登録されているユーザ特定情報及びマッチング条件に関連付けて位置情報をデータ記憶部に保存する位置情報収集部と、
データ記憶部に保存されているユーザの位置情報及びマッチング条件から、同一ゾーンに在圏し、かつ、共通のマッチング条件を満たすユーザの組を検出するマッチング部と、
検出された各組のユーザのユーザ特定情報に基づいて、各ユーザに対し同じ組に属する他のユーザのアクセス情報を通知するアクセス情報通知部と、
を有し、
同一ゾーンに在圏する端末のユーザ同士に互いの存在を報知するサービス提供サーバである。
【００２８】
更に、本発明は、同一ゾーンに在圏する端末のユーザ同士に互いの存在を報知する機能をコンピュータに実現させるためのプログラムに関する。
【００２９】
請求項１５に係る発明は、通信システムを介して通信可能な端末からユーザ特定情報及びマッチング条件を受信し、データ記憶部に登録するユーザ登録機能と、
ゾーン内の端末から発信される信号を受信する端末位置情報取得システムから端末の位置情報を受信し、データ記憶部に登録されているユーザ特定情報及びマッチング条件に関連付けて位置情報をデータ記憶部に保存する位置情報収集機能と、
データ記憶部に保存されているユーザの位置情報及びマッチング条件から、同一ゾーンに在圏し、かつ、共通のマッチング条件を満たすユーザの組を検出するマッチング機能と、
検出された各組のユーザのユーザ特定情報に基づいて、各ユーザに対し同じ組に属する他のユーザのアクセス情報を通知するアクセス情報通知機能と、
をコンピュータに実現させるためのプログラムである。
【００３０】
請求項１６に係る発明は、同一ゾーンに在圏する端末のユーザ同士に互いの存在を報知する機能をコンピュータに実現させるためのプログラムを記録した記録媒体である。
【００３１】
【発明の実施の形態】
以下、添付図面を参照して本発明の種々の実施例を詳細に説明する。全ての図面を通じで、同一若しくは同等の構成要素又は機能には、同じ参照番号が付けられている。
【００３２】
図１は、本発明の第１実施例によるユビキタスマッチングシステムの構成図である。このユビキタスマッチングシステムは、通信システム５を介して通信可能な少なくとも２台以上の端末１，２・・・と、端末から発信される信号を狭いゾーンに対応した低感度で検出することにより、端末の位置情報を取得する端末位置情報取得システム６と、端末位置情報取得システム６から得られる端末の位置情報に基づいて、同一ゾーンに在圏する端末のユーザ同士に互いの存在を報知するサービス提供サーバ４と、を含む。以下の実施例では、端末は、端末１と端末２の２台であるとして説明しているが、端末の台数は２台に限定されることはなく、本発明は、３台以上の端末、即ち、３人以上のユーザに対しても互いの存在を報知することができる。
【００３３】
端末位置情報取得システム６は、通信可能に接続された端末１及び２から発信される信号を狭いゾーンに対応した低感度で検出することにより端末の位置情報を取得し、サービス提供サーバ４は、取得された端末の位置情報に基づいて、同一ゾーンに在圏する端末同士に互いの存在を報知する。端末位置情報取得システムの検出感度を低くすることにより、端末の位置情報の検出精度が高まるので、近くに存在する端末、即ち、近くに居る人物の存在を相互に報知することが可能である。
【００３４】
図２は、本発明の第１実施例による同一ゾーンに在圏する端末のユーザ同士に互いの存在を報知するユビキタスマッチングシステムの動作フローチャートである。サービス提供サーバは、ユーザのユーザ特定情報及びマッチング条件を登録する（ステップ１）。端末位置情報取得システム６は、登録されているユーザの端末から発信される信号を狭いゾーンに対応した低感度で検出することにより、ユーザが在圏するゾーンを表す位置情報を取得する（ステップ２）。サービス提供サーバ４は、登録されているユーザのユーザ特定情報及びマッチング条件に関連付けて、取得された位置情報を保存し（ステップ３）、保存されているユーザの位置情報及びマッチング条件から、同一ゾーンに在圏し、かつ、共通のマッチング条件を満たすユーザの組を検出し（ステップ４）、検出された各組のユーザのユーザ特定情報に基づいて、各ユーザに対し同じ組に属する他のユーザのアクセス情報を通知する（ステップ５）。
【００３５】
サービス提供サーバ４は、より詳細には、図１に示されるように、端末１及び２からユーザ特定情報及びマッチング条件を受信し、データ記憶部４３に登録するユーザ登録部４２と、端末位置情報取得システム６から端末の位置情報を受信し、データ記憶部４３に登録されているユーザ特定情報及びマッチング条件に関連付けて位置情報をデータ記憶部４３に保存する位置情報収集部４１と、を有する。更に、サービス提供サーバ４は、データ記憶部に保存されているユーザの位置情報及びマッチング条件から、同一ゾーンに在圏し、かつ、共通のマッチング条件を満たすユーザの組を検出するマッチング部４４と、検出された各組のユーザのユーザ特定情報に基づいて、各ユーザに対し同じ組に属する他のユーザのアクセス情報を通知するアクセス情報通知部４５と、を具備する。
【００３６】
これにより、ユビキタスマッチングシステムは、近くに居る友人・知人や共通の意識を持っている人などのように相互にマッチング条件（要求条件）を満たす人物の存在を、その人物へのアクセス情報を用いて相互に報知することが可能になる。ユーザは、相手側へのアクセス情報を入手できるので、直ちに連絡を取り合うことができる。
【００３７】
図３は、端末１及び２からサービス提供サーバ４のユーザ登録部４２へ通知され、ユーザ登録部４２によってデータ記憶部４３に格納されるユーザ特定情報の一例の説明図である。ユーザ特定情報は、ユーザを識別するためのユーザ名（ユーザＩＤとパスワードのペアでもよい）と、ユーザへの連絡先を表す端末アドレスと、ユーザの端末の端末識別情報と、マッチング条件を指定する属性情報へのポインタ（属性情報自体でもよい）と、知人や友人を指定するアドレス帳へのポインタ（アドレス帳自体でもよい）とを含む。ユーザ特定情報には、更に、端末位置情報取得システム６によって取得され、位置情報取得部４１によって、他の登録データと関連付けられた位置情報が含まれる。更に、オプションとして、ユーザが自分の存在を他のユーザへ通知されることを許諾するかどうかを設定するための通知許諾フラグがユーザ特定情報に設けられる。
【００３８】
このユビキタスマッチングシステムにおいて、データ記憶部４３に登録されたマッチング条件は、ユーザが登録したユーザのリスト、即ち、ユーザ名及びユーザ連絡先のリストによって表現される。図４は、このようなリスト表現のマッチング条件を実現するアドレス帳によるマッチング条件の一例の説明図である。アドレス帳は、ユーザ名とそのユーザのユーザ特定情報へのポインタにより構成される。この例では、あるユーザのアドレス帳に掲載される別のユーザは、別のユーザ自体がユビキタスマッチングシステムに登録しているユーザである。ユーザがアドレス帳を登録する際に、アドレス帳に掲載されている別のユーザが登録済みであるかどうかをチェックすることにより、アドレス帳の整合性が保証される。相手方のユーザの登録したユーザのリスト（アドレス帳）に相互に掲載されているユーザは、マッチング条件を満たすユーザ同士であると判定される。これにより、ユーザは、予め登録しておいた友人や知人が近くに居る場合、相互にその存在を認識することができる。
【００３９】
尚、アドレス帳をユーザ名とユーザ連絡先（＝端末アドレス）のペアによって構成することにより、任意の友人や知人（即ち、ユビキタスマッチングシステムに登録していない人物）の存在がユーザに通知されるように構成することも可能である。
【００４０】
さらに、このユビキタスマッチングシステムにおいて、登録されたマッチング条件は、属性項目と属性データにより構成された属性情報により表現される。図５は、属性情報によるマッチング条件の一例の説明図である。登録されている属性項目及び属性データが一致しているユーザは、マッチング条件を満たすユーザ同士であると判定される。これにより、ユーザは、登録した属性項目と属性データが一致しているならば、以前からの友人や知人以外の人物の存在を認識することができる。
【００４１】
本発明の第１実施例のユビキタスマッチングシステムでは、登録されているユーザは、自分がユーザの組の要素として検出されるかどうかを自分の携帯端末から指定できる。これにより、ユーザは、自分の存在を他のユーザに報知するかどうかを自分で制御することができる。自分の存在を他のユーザに報知しない状態に設定されている場合には、好ましくは、他のユーザの存在がこのユーザに一方的に報知されないようにする。
【００４２】
さらに、このユビキタスマッチングシステムにおいて、ユーザの組の検出は、ユーザの携帯端末からの要求によって始動される。これにより、近くに居る人物の報知動作は、あるユーザが要求を発行した特定の時間と場所で実行される。これにより、報知動作が常時行われる場合に比べて、システム側の処理量が軽減されると共に、各ユーザへの通知によってユーザが必要以上に煩わしく感じることを防ぐ。
【００４３】
ユビキタスマッチングシステムの端末位置情報取得システム６は、端末同士の通信に利用される通信システムのタイプに応じて種々の形態で実現される。図６は、本発明の第２実施例によるユビキタスマッチングシステムの構成図である。本実施例では、端末位置情報取得システム６は、移動通信システム６０と低感度基地局６４とにより構成される。サービス提供サーバ４と、端末１及び側端末２は、移動通信システム６０を利用して通信可能に接続されている。例えば、端末１及び端末２は携帯電話機である。
【００４４】
移動通信システム６０は、カバーエリア６３内の端末１及び端末２からの位置登録要求信号を受信し上記端末１及び端末２と無線通信する基地局６１、並びに、移動通信に必要な情報を管理し上記基地局６１を制御する制御局６２を備えている。
【００４５】
低感度基地局６４は、上記基地局６１のカバーエリア６３内で既知の位置情報と関連付けられた場所に設置され、端末１及び端末２から送出された位置登録要求信号を上記基地局６１よりも低い感度で受信し、位置登録要求信号を送出した端末１及び端末２の識別情報（電話番号、メールアドレス、端末ＭＡＣアドレス等）を上記制御局６２へ通知する。本発明の実施例の説明中、端末の識別情報、或いは、端末識別情報は、電話番号、メールアドレス、端末ＭＡＣアドレス等を含む。低感度基地局６４は、低感度の受信専用の基地局であり、検出範囲を狭めることにより、すなわち、検出エリアをスポット的にすることにより、位置検出精度を等価的に向上させる。本実施例における制御局６２は、この低感度基地局６４で端末１及び端末２からの位置登録要求信号を検出することによって、通常の通話サービスで用いられる位置管理情報とは独立に、検出範囲の狭い位置管理を行う。
【００４６】
制御局６２は、位置登録要求信号を送出した端末の識別情報と、この端末の識別情報を制御局６２へ通知した低感度基地局６４の識別情報と、を上記サービス提供サーバ４へ送信する。サービス提供サーバ４は、低感度基地局の識別情報に関連付けられた位置情報を、位置登録要求信号を送出した端末の識別情報に対応したユーザの位置情報として使用する。
【００４７】
本実施例は、受信専用の低感度基地局６４を設置することによって、位置検出範囲を狭め、結果として位置検出精度を高精度化する。さらに、低感度基地局６４は、受信機能に限定できるので既存の携帯電話基地局６１や他の無線システムへの干渉の問題がなく、かつ、低コスト化可能であるため、既存の基地局や設備を活用してシステムを構築することができる。また、携帯電話システムのような移動通信システムを利用することによって、例えば、電話番号等からユーザ識別を行うことができる。
【００４８】
また、低感度基地局６４の識別情報には低感度基地局の位置（情報）がリンクされているので、低感度基地局の識別情報から端末の位置情報が取得できる。これにより、本実施例の端末位置情報取得システムは、特に、携帯電話システムのような既設の移動通信システムに低コストで導入することが可能になる。
【００４９】
上記低感度基地局６４は、在圏するカバーエリアが変化したときに端末１、２から送信される位置登録要求信号、及び／又は、端末から定期的に送信される位置登録要求信号を受信する。ユーザ端末２が位置登録要求信号を定期的に送信することにより、特に、端末が基地局６１のカバーエリア６３内の複数の低感度基地局カバーエリア７を移動する場合でも、ユーザ端末位置を検出できるようになる。
【００５０】
或いは、端末１及び端末２は、ユーザの操作に応じて位置登録要求信号を送信するように構成してもよい。この場合、端末１及び端末２は、定期的に位置登録要求信号を送信するモードと、ユーザの操作に応じて位置登録要求信号を送信するモードと、を具備することが好適である。
【００５１】
図７は、本発明の第２実施例における低感度基地局６４の概略図である。低感度基地局６４は、端末１及び端末２からの位置登録要求信号を受信する感度を変更できるように構成されている。これにより、端末位置情報取得システムは、検出範囲（検出精度）の変更が可能になる。また、低感度基地局６４は、受信感度を変更できるようにするため、アンテナ利得を変更できる受信アンテナ６４１を具備する。低感度基地局６４は、受信感度を変更できるようにするため、受信アンテナ６４１を交換することによりアンテナ利得を変更できるように構成してもよい。さらに、低感度基地局６４は、受信感度を変更できる受信機６４２を具備する。低感度基地局６４は、信号復調部６４３と多重化装置６４４をさらに具備し、低感度基地局６４の中でユーザ端末２からの無線信号を復調し、複数のユーザ端末から送信される位置登録要求信号の中に含まれる端末識別情報等の必要な情報を多重化して制御局６２に送信する。
【００５２】
図８は、本発明の第２実施例において端末位置情報取得システム６で行われる端末位置検出方法のフローチャートである。本実施例の端末位置検出方法は、カバーエリア６３内の端末１及び端末２からの位置登録要求信号を受信し上記端末１及び端末２と無線通信する基地局６１、及び、移動通信に必要な情報を管理し上記基地局６１を制御する制御局６２を備えた移動通信システム６０において、端末１及び端末２の位置を検出する。
【００５３】
本実施例の端末位置検出方法によれば、上記基地局６１のカバーエリア６３内で既知の位置情報と関連付けられた場所に設置され、上記基地局６１よりも低い感度で位置登録要求信号を受信する上記低感度基地局６４が端末１及び端末２から送出された位置登録要求信号を受信する（ステップ２１）。
【００５４】
ユーザ端末２は、在圏するカバーエリアが変化したとき、定期的、或いは、ユーザの操作に応じて位置登録要求信号を送信する。
【００５５】
低感度基地局６４は、位置登録要求信号を送出した端末の識別情報を、低感度基地局の識別情報と共に制御局６２へ通知する（ステップ２２）。
【００５６】
制御局６２から端末の識別情報及び低感度基地局の識別情報を受信したサービス提供サーバ４は、低感度基地局６４の識別情報に関連した既知の位置情報を、当該端末の位置情報として取得する（ステップ２３）。
【００５７】
さらに、サービス提供サーバ４は、位置登録要求信号を送出した端末の識別情報をユーザ特定情報と関連付けることにより、端末のユーザを識別、同定する（ステップ２４）。
【００５８】
サービス提供事業者と移動通信インフラ提供業者が同一である場合には、制御局６２側で端末の位置情報を取得し、ユーザ端末の所有者を識別するように構成することも可能である。サービス提供事業者と移動通信インフラ提供業者が同一ではない場合には、サービス提供サーバ４では、端末の所有者を識別するのではなく、単に、ユーザ端末の識別、同定のみを行うことがある。
【００５９】
本発明の第２実施例において、基地局６１のカバーエリア６３には、例えば、イベント会場、商店街、駅構内などが含まれるが、これらの例に限定されるものではない。
【００６０】
移動通信システム６０の一例は、現在の携帯電話システムである。移動通信システム６０として、携帯電話システムを採用した場合、端末１及び端末２は、上述の如く携帯電話機である。端末１及び端末２は、基地局６１からの報知情報等に応答して、適宜位置登録要求信号を発信し、自端末の位置を制御局６２へ登録している。携帯電話システムのような移動通信システム６０では、使用可能な端末が、その端末の保有者（すなわち、ユーザ）の情報と共に登録されている。よって、ユビキタスマッチングシステムのメンバーの端末として、移動通信システム６０で利用可能な端末を指定することによって、自動的にユーザ認証がなされる、という利点が得られる。
【００６１】
携帯電話システムにおける位置登録処理については、例えば、文献：立川監修、”Ｗ−ＣＤＭＡ移動通信方式”、丸善、２００１年、ｐｐ．２５０−２５３と、文献：服部編著、”ワイヤレス・ブロードバンド教科書”、ＩＤＧジャパン、２００２年、ｐｐ．３２−３５に記載されている。
【００６２】
以下では、端末位置情報取得システム６の様々な構成に対応した本発明のユビキタスマッチングシステムの種々の実施例を説明する。以下の種々の実施例において、ユビキタスマッチングシステムの端末位置情報取得システムを除く部分の構成、機能は、上述の本発明の第２実施例によるユビキタスマッチングシステムの部分と基本的に同じであるため、繰り返して説明をしない。以下の記述では、主として、各実施例の端末位置情報取得システムについて説明する。
【００６３】
図９は、本発明の第３実施例によるユビキタスマッチングシステムの構成図である。本実施例では、通信システムは、無線ＬＡＮシステム７０により構成され、端末位置情報取得システム６はこの無線ＬＡＮシステム７０を利用する。このユビキタスマッチングシステムにおいて、端末１及び端末２は無線ＬＡＮシステム７０を介して通信可能である。サービス提供サーバ４と端末１及び端末２は、無線ＬＡＮシステム７０（若しくは別の移動通信システム）を介して通信可能に接続される。
【００６４】
本実施例において端末位置情報取得システム６を構成する無線ＬＡＮシステム７０は、カバーエリア７２内の無線ＬＡＮ端末１及び２と無線リンクを確立し、無線リンクを確立した無線ＬＡＮ端末１及び２をネットワークに接続する一つ以上の無線ＬＡＮ基地局７１を有する。無線ＬＡＮシステム７１の事業者の局舎内、例えば、データセンター等には認証サーバ７３が設置される。認証サーバ７３は、多数の無線ＬＡＮ基地局７１に接続され、無線ＬＡＮ基地局７１から送信される認証データを認証する（無線ＬＡＮ基地局７１に接続されている無線ＬＡＮ端末１及び２のユーザが正当なユーザであるかどうかを確認する）。無線ＬＡＮ基地局７２は、例えば、レストラン街、商店街、イベント会場、駅構内などに設置されている。無線ＬＡＮ端末１及び２は、これらの場所を訪れる個人（ユーザ）が携帯している。無線ＬＡＮシステム７０が接続されるネットワークには、インターネット、イントラネットなどが含まれる。
【００６５】
端末位置情報取得システム６は、無線ＬＡＮ基地局７１に接続され、無線ＬＡＮ基地局７１に接続されている無線ＬＡＮ端末のユーザが正当なユーザであるかどうかを確認する認証サーバ７３と、正当なユーザであることが確認された認証済みユーザの無線ＬＡＮ端末１及び２の端末識別情報及び上記認証済みユーザの認証データを上記無線ＬＡＮシステム７０から取得する管理サーバ７４と、を含む。無線ＬＡＮ基地局７２及び管理サーバ７４は、サービス提供サーバ４にネットワーク経由で接続される。
【００６６】
管理サーバ７４は、上記無線ＬＡＮ基地局アドレス及び上記認証データを上記サービス提供サーバ４へ送信する。或いは、管理サーバ７４は、上記認証済みユーザの無線ＬＡＮ端末１及び２が接続されている無線ＬＡＮ基地局７１の位置から位置情報を生成し、上記認証済みユーザに関連した位置情報及び認証データを上記サービス提供サーバ４へ送信するように構成することも可能である。上記サービス提供サーバ４は、上記無線ＬＡＮ基地局アドレスに関連付けられた位置情報を、上記認証データに対応したユーザの位置情報として使用する。
【００６７】
サービス提供サーバ４は、上記認証済みユーザの連絡先として、無線ＬＡＮ端末と、無線ＬＡＮ端末とは別個の携帯電話機との間で選択できるように構成することも可能である。
【００６８】
管理サーバ７４は、位置情報を管理する部分と、個人情報を管理する部分とにより構成することができる。位置情報管理部では、無線ＬＡＮ基地局７１からの識別情報、例えば、無線ＬＡＮ基地局７１のアドレス情報によって、無線ＬＡＮ基地局７１に接続している無線ＬＡＮ端末の現在位置、すなわち、ユーザの現在位置を特定することができる。ユーザの現在位置情報は、無線ＬＡＮ基地局の設置場所の経度・緯度と関連付ける方式（Ａ方式）と、無線ＬＡＮ基地局の識別番号と関連付ける方式（Ｂ方式）と、が考えられる。
【００６９】
Ａ方式の場合、サービス提供サーバ４において、ユーザの位置情報は、経度・緯度による位置情報と関連付けられ、所定の距離の範囲内の位置情報に存在するユーザ同士がマッチングする。
【００７０】
Ｂ方式の場合、サービス提供サーバ４では、情報受信側から指定された特定の場所を無線ＬＡＮ基地局の識別番号と関連付け、特定の場所に対応する識別番号を有する無線ＬＡＮ基地局のカバーエリア内に在圏するユーザ同士がマッチングする。
【００７１】
図１０は、本発明の第４実施例によるユビキタスマッチングシステムの構成図である。本実施例では、端末位置情報取得システム６は、ＩＤ送信機とＩＤ受信機とにより構成される。端末１及び端末２は、移動通信システム６０を介してサービス提供サーバ４に接続される。端末１にはＩＤ送信機８３が設けられ、ＩＤ送信機８３は端末１と共にユーザによって携帯される。同様に、端末２にはＩＤ送信機８４が設けられ、ＩＤ送信機８４は端末２と共にユーザによって携帯される。好ましくは、ＩＤ送信機８３及びＩＤ送信機８４は、夫々、端末１及び端末２に取り付けられるが、ユーザが端末とは別個にＩＤ送信機を携行するような形態でも構わない。ＩＤ送信機８３及びＩＤ送信機８４は、携帯電話機が送信する信号とは別に、携帯電話機の所有者、即ち、本実施例の場合、ユーザの個別のＩＤのようなユーザＩＤを送信する。ＩＤ受信機８１は、店舗、ビル、駅構内、商店街、街頭など色々な場所に設置され、ＩＤ送信機８３及びＩＤ送信機８４が送信するユーザＩＤを受信する。ＩＤ受信機８１の設置場所は既知であるため、ＩＤ受信機８１は、ＩＤ受信機８１のカバーエリア８２内に在圏するＩＤ送信機８３及びＩＤ送信機８４から送信されたユーザ情報と、ＩＤ受信機８１の既知の位置情報（又は、ＩＤ受信機のＩＤ番号）をサービス提供サーバ４へ送信する。これにより、サービス提供サーバ４は、端末１及び端末２の現在位置を把握することができる。尚、ユーザＩＤと、端末の加入者番号或いはメールアドレスは、サービス提供サーバ４側でメンバー登録の際に関連付けられている。
【００７２】
ＩＤ送信機は、非接触式のタグ、例えば、無線タグ、すなわち、ＲＦＩＤ（Ｒａｄｉｏ  Ｆｒｅｑｕｅｎｃｙ  ＩＤｅｎｔｉｆｉｃａｔｉｏｎ）タグにより実現することができる。また、ＩＤ受信機８１は、ＲＦＩＤタグのリーダにより実現することが可能である。ＲＦＩＤは、情報を内部の回路に記憶し、外部のリーダとの間で非接触に無線交信して認識を行う技術である。ＲＦＩＤの方式として、電磁誘導方式、電磁結合方式、或いは、マイクロ波方式などが知られている。非接触式タグの他の例には、無線送信部（赤外線デバイスなど）が含まれる。
【００７３】
ＲＦＩＤタグには、能動型と受動型の二つのタイプがある。電池を内蔵する能動型のＲＦＩＤタグと、電池は持たずに電磁誘導を利用する受動型のＲＦＩＤは、電池の有無によって通信距離が異なる。
【００７４】
ＩＤ受信機はＩＤ送信機に対応する。ＩＤ送信機８３としてＲＦＩＤタグが利用される場合、ＩＤ受信機はタグリーダ／ライタであり、ＩＤ送信機として赤外線送信機が使用される場合には、ＩＤ受信機は赤外線受信機である。
【００７５】
図１１は、本発明の第５実施例による位置情報に基づく情報提供システムの構成図である。本実施例では、端末位置情報取得システム６は、移動通信システム６０自体によって実現される。より具体的には、端末位置情報取得システム６は、カバーエリア６３内の端末２からの位置登録要求信号を受信し上記端末１及び端末２と無線通信する基地局６１、及び、移動通信に必要な情報を管理し上記基地局６１を制御する制御局６２を備えた移動通信システム６０により構成される。この場合、端末１及び端末２は、例えば、ＰＨＳ端末である。端末１及び端末２の位置情報は、ＰＨＳ方式移動通信システム６０において、当該端末が在圏している基地局６１の設置されている場所の位置情報と対応付けられる。
【００７６】
図１２は、本発明の第５実施例における制御局の一例の構成図である。制御局６２は、基地局６１の識別情報と基地局６１の位置情報とを関連付ける位置情報管理部６２１と、位置登録要求信号を送出した端末の識別情報を通知した基地局６１に関連付けられた位置情報を位置情報管理部６２１から取得し、取得した位置情報を当該端末の位置情報として端末の識別情報に関連付ける位置情報取得部６２２と、を有する。更に、制御局６２は、位置登録要求信号を送出した端末の識別情報を移動通信システム６０のユーザ管理情報と関連付けることにより、端末の所有者を識別するユーザ識別部６２３を含む。制御局６２は、端末の位置情報と端末の識別された所有者に対応するユーザ情報をサービス提供サーバ４へ送信する。サービス提供サーバ４は、端末の位置情報を、ユーザ情報に対応したユーザの位置情報として使用する。
【００７７】
図１３は、本発明の第６実施例によるユビキタスマッチングシステムの構成図である。本実施例では、端末位置情報取得システム６は、端末１に設けられたＧＰＳ方式測位部９１及び端末２に設けられたＧＰＳ方式測位部９２により構成される。ＧＰＳ方式の測位法については公知であるため、これ以上の説明を加えない。端末１及び端末２は、ＧＰＳ方式測位部９１及び９２によって取得された位置情報と、端末の識別情報を、サービス提供サーバ４の位置情報収集部４１へ送信する。
【００７８】
以上の通り、本発明の種々の実施例では、ユーザは、低感度基地局を用いた携帯電話機、無線ＬＡＮ端末、ＩＤ送信機＋ＩＤ受信機と組み合わせた携帯電話機、ＰＨＳ端末、或いは、ＧＰＳ付き携帯電話機などの位置検出機能と通信機能を兼ね備えた端末を利用する。サービス提供サーバは、ユーザに対し、そのユーザが在圏するゾーンと同じゾーンに在圏する別のユーザの存在を相互に報知することができる。
【００７９】
本発明のユビキタスマッチングシステムのコンセプトは、ユーザの近くに来た友人・知人をそのユーザに報せることである。その際、ユーザと相手側の両方の了解が必要である。さらに、ユビキタスマッチングシステムは、ユーザが、友人・知人や、友人・知人以外でもユーザの要求にマッチした他のユーザと、その場で接触する（会う、連絡を取り合うなど）機会をユーザ及び相手側に提供する。さらに、ユーザ相互に相手の居場所やアクセス情報を交換することになるので、信頼性や安全性を確保するために、好ましくは、会員向けサービスとして実現される。
【００８０】
マッチング条件としては、第一に、サービスを享受するユーザ（即ち、メンバーの）友人や知人のようなメンバーの（携帯電話機、メールソフト上の）アドレス帳に掲載されている別のメンバーが近くに居ること、並びに、それらのメンバーがアクセス情報を交換する対象となっていることを了解することが想定されている。第二に、メンバーの探しているメンバーの属性情報と、相手側の属性情報とが一致し、かつ、それらのメンバーが了解することがマッチング条件として考えられる。例えば、相手側側のメンバーとして、交際相手、趣味仲間、コミュニティメンバー、取得したい物品の所有者が考えられる。
【００８１】
次に、本発明の第７実施例によるユビキタスマッチングシステムについて説明する。この第７実施例によるユビキタスマッチングシステムの構成は、例えば、図６に示した低感度基地局を利用した本発明の第２実施例によるユビキタスマッチングシステムと同様の構成である。
【００８２】
本実施例では、端末位置情報取得システム６は、端末から発信される加入者番号を起点情報として、端末の位置を検出する。加入者番号は、端末から送信される位置登録要求信号に含まれる。位置登録要求信号は、図６を参照して本発明の第２実施例に関して既に説明したので、これ以上の説明は加えられない。
【００８３】
加入者番号とは、ユーザが網へ加入契約するときに、携帯端末に対して通信事業者から付与される番号であり、通信事業者によって決められるものである。この加入者番号を用いることにより、サービス提供サーバ等は、携帯端末の所有者へ情報を送信することが可能である。
【００８４】
本実施例では、通信事業者がユビキタスマッチングサービスを提供する状況を予定している。通信事業者は、端末位置（即ち、ユーザの位置情報）と、ユーザへ送信するための番号（加入者番号、メールアドレス等）と、ユーザの属性情報を保持・管理し、通信、位置検出、及び、マッチングのサービスを一元的に提供する。低感度基地局も通信事業者が設置する。
【００８５】
図１４は、本発明の第７実施例によるユビキタスマッチングシステムの動作シーケンス説明図である。
【００８６】
サービス提供サーバには、サービス会員の通信端末への送信のための送信アドレスが事前に登録されている。サービス提供サーバは、端末（ユーザ）の位置管理、アドレス帳データ及び属性情報・要求条件データを管理する。
【００８７】
ステップ３１：端末からサービス提供サーバにアドレス帳データ及び属性情報のようなマッチング条件が送信される。サービス提供サーバは、ユーザのアドレス帳データ及び属性情報・要求条件データを管理する。
【００８８】
ステップ３２：端末から低感度基地局へ加入者番号信号を含む位置登録要求信号が送信される。
【００８９】
ステップ３３：低感度基地局から制御局へ低感度基地局ＩＤ及び加入者番号が送信される。
【００９０】
ステップ３４：制御局からサービス提供サーバへ低感度基地局ＩＤ及び加入者番号が通知される。
【００９１】
サービス提供サーバは、端末（ユーザ）の位置を管理し、また、加入者番号も管理する。更に、サービス提供サーバは、端末（ユーザ）位置と、アドレス帳データ、属性情報・要求条件の照合・マッチングを行う。
【００９２】
ステップ３５：サービス提供サーバから制御局へマッチング通知の送信要求がなされる。
【００９３】
ステップ３６：制御局から基地局へマッチング通知の送信要求が行われる。
【００９４】
ステップ３７：基地局から端末へマッチング通知が送信される。マッチング通知は、例えば、マッチした相手の条件、人数等を含む。必要に応じて、マッチングした相手の属性情報も併せて送信され、次のステップ３８で、許諾可否の判断の参考にされる場合もある。
【００９５】
ステップ３８：端末から基地局へ、端末のユーザ自身の存在を相手側に報せてもよいかどうかの許諾可否情報が送信される。
【００９６】
ステップ３９：許諾可否情報は基地局から制御局へ送信される。
【００９７】
ステップ４０：許諾可否情報は制御局からサービス提供サーバへ送信される。
【００９８】
サービス提供サーバは、マッチした人からの許諾可否情報を収集し、自分の存在を相手に報せても構わない旨を返答したユーザを、最終的に相互の存在を報せるユーザのグループとして選択する。
【００９９】
ステップ４１：サービス提供サーバは、最終的に選択されたユーザのグループの各メンバーに対して相互に相手の電話番号、メールアドレス等のアクセス情報を準備し、制御局及び基地局を介して、各メンバーの端末へ送信する（ステップ４２、ステップ４３）。
【０１００】
尚、一実施例において、制御局は、基地局及び低感度基地局に接続されたＧＭＳＣ  ＭＳＣ／ＶＬＲ  ＢＳＣと、ユーザ管理サーバに接続されたＨＬＲにより構成される。ＧＭＳＣ  ＭＳＣ／ＶＬＲ  ＢＳＣは、例えば、上述の文献に記載されているようなＩＭＴ−２０００コアネットワークにおいて規定されている。ここで、ＧＭＳＣは電話網、ＩＳＤＮおよび他の移動通信網と相互接続するための関門交換機能を提供する。ＭＳＣ／ＶＬＲは電話の通話路やデータ通信路の設定、開放、交換や移動管理の機能、端末の移動先で加入者情報を一時的に保持する。また、ＢＳＣは無線チャンネルのユーザ端末への割り当てや切り替えの制御を行う。また、ＨＬＲは、上述の文献に記載されているようなＩＭＴ−２０００コアネットワークにおいて規定されている。ＨＬＲは、端末の位置情報として、基地局の識別情報及び低感度基地局の識別情報を管理するように構成されている。低感度基地局の識別情報には低感度基地局の位置情報がリンクされているので、低感度基地局の識別情報からユーザ端末の位置情報としてこの低感度基地局の位置情報が取得できる。ＨＬＲは、当該携帯電話事業者に加入するすべての加入者に関する位置情報、サービス加入情報、認証情報等を保持、管理するホームロケーションレジスタを表す。
【０１０１】
次に、本発明の第８実施例によるユビキタスマッチングシステムについて説明する。この第８実施例によるユビキタスマッチングシステムの構成は、例えば、図９に示した無線ＬＡＮシステムを利用した本発明の第３実施例によるユビキタスマッチングと同様の構成である。
【０１０２】
本実施例では、サービス提供サーバ４は、端末から発信される端末ＩＰアドレスを起点情報として、端末からこの端末ＩＰアドレスを受信した基地局の基地局ＩＤに基づいて端末の位置を検出する。また、端末からは、ユーザＩＤ及びパスワードのような認証データが端末ＩＤアドレスと共に送信されるので、サービス提供サーバ４は、認証データに基づいてユーザ識別情報を得る。このユーザ識別情報を用いることにより、サービス提供サーバ等は、無線ＬＡＮ端末の所有者へ情報を送信することが可能である。
【０１０３】
尚、例えば、ユーザがマッチング通知の宛先として、無線ＬＡＮ端末ではなく、例えば、携帯電話機を指定している場合には、サービス提供サーバは、マッチング通知をユーザの無線ＬＡＮ端末ではなく、携帯電話機へ送信するように構成される。
【０１０４】
本実施例では、通信事業者がユビキタスマッチングサービスを提供する状況を予定している。通信事業者は、端末位置（即ち、ユーザの位置情報）と、ユーザへ送信するための番号（メールアドレス、携帯電話機の加入者番号等）と、ユーザの属性情報を保持・管理し、通信、位置検出、及び、マッチングのサービスを一元的に提供する。無線ＬＡＮ基地局は、通信事業者若しくはサービス提供者が設置する。
【０１０５】
図１５は、本発明の第８実施例によるユビキタスマッチングシステムの動作シーケンス説明図である。
【０１０６】
ステップ３１：端末からサービス提供サーバにアドレス帳データ及び属性情報のようなマッチング条件が送信される。サービス提供サーバは、ユーザのアドレス帳データ及び属性情報・要求条件データを管理する。
【０１０７】
ステップ３２’：端末から無線ＬＡＮ基地局へ端末ＩＰアドレスと認証データ（ユーザＩＤ、パスワード）が送信される。
【０１０８】
ステップ３３’：無線ＬＡＮ基地局から認証サーバ・管理サーバへ認証データ及び無線ＬＡＮ基地局ＩＤが送信される。
【０１０９】
ステップ３４’：認証サーバ・管理サーバからサービス提供サーバへ無線ＬＡＮ基地局ＩＤ及び認証データが通知される。
【０１１０】
サービス提供サーバは、端末（ユーザ）の位置を管理し、また、認証データを管理する。更に、サービス提供サーバは、端末（ユーザ）位置と、アドレス帳データ、属性情報・要求条件の照合・マッチングを行う。
【０１１１】
ステップ３５：サービス提供サーバから基地局へマッチング通知の送信要求が行われる。
【０１１２】
ステップ３７：基地局から端末へマッチング通知が送信される。マッチング通知は、例えば、マッチした相手の条件、人数等を含む。必要に応じて、マッチングした相手の属性情報も併せて送信され、次のステップ３８で、許諾可否の判断の参考にされる場合もある。
【０１１３】
ステップ３８：端末から基地局へ、端末のユーザ自身の存在を相手側に報せてもよいかどうかの許諾可否情報が送信される。
【０１１４】
ステップ３９：許諾可否情報は基地局から制御局へ送信される。
【０１１５】
ステップ４０：許諾可否情報は制御局からサービス提供サーバへ送信される。
【０１１６】
サービス提供サーバは、マッチした人からの許諾可否情報を収集し、自分の存在を相手に報せても構わない旨を返答したユーザを、最終的に相互の存在を報せるユーザのグループとして選択する。
【０１１７】
ステップ４１：サービス提供サーバは、最終的に選択されたユーザのグループの各メンバーに対して相互に相手の電話番号、メールアドレス等のアクセス情報を準備し、制御局及び基地局を介して、各メンバーの端末へ送信する（ステップ４２、ステップ４３）。
【０１１８】
次に、本発明の第９実施例によるユビキタスマッチングシステムについて説明する。この第９実施例によるユビキタスマッチングシステムの構成は、例えば、図１１に示したＰＨＳシステムを利用した本発明の第５実施例によるユビキタスマッチングシステムと同様の構成である。
【０１１９】
本実施例では、端末位置情報取得システム６は、端末から発信される加入者番号を起点情報として、端末の位置を検出する。加入者番号は、端末から送信される位置登録要求信号に含まれる。位置登録要求信号は、図６を参照して本発明の第２実施例に関して既に説明したので、これ以上の説明は加えられない。
【０１２０】
加入者番号とは、ユーザが網へ加入契約するときに、携帯端末に対して通信事業者から付与される番号であり、通信事業者によって決められるものである。この加入者番号を用いることにより、サービス提供サーバ等は、携帯端末の所有者へ情報を送信することが可能である。
【０１２１】
本実施例では、通信事業者がユビキタスマッチングサービスを提供する状況を予定している。通信事業者は、端末位置（即ち、ユーザの位置情報）と、ユーザへ送信するための番号（加入者番号、メールアドレス等）と、ユーザの属性情報を保持・管理し、通信、位置検出、及び、マッチングのサービスを一元的に提供する。ＰＨＳ基地局は通信事業者が設置する。
【０１２２】
図１６は、本発明の第９実施例によるユビキタスマッチングシステムの動作シーケンス説明図である。
【０１２３】
ステップ３１：端末からサービス提供サーバにアドレス帳データ及び属性情報のようなマッチング条件が送信される。サービス提供サーバは、ユーザのアドレス帳データ及び属性情報・要求条件データを管理する。
【０１２４】
ステップ３２”：端末からＰＨＳ基地局へ加入者番号信号を含む位置登録要求信号が送信される。
【０１２５】
ステップ３３”：ＰＨＳ基地局から制御局へＰＨＳ基地局ＩＤ及び加入者番号が通知される。
【０１２６】
ステップ３４”：制御局からサービス提供サーバへＰＨＳ基地局ＩＤ及び加入者番号が通知される。
【０１２７】
サービス提供サーバは、端末（ユーザ）の位置を管理し、また、加入者番号を管理する。更に、サービス提供サーバは、端末（ユーザ）位置と、アドレス帳データ、属性情報・要求条件の照合・マッチングを行う。
【０１２８】
ステップ３５：サービス提供サーバから制御局へマッチング通知の送信要求がなされる。
【０１２９】
ステップ３６：制御局から基地局へマッチング通知の送信要求が行われる。
【０１３０】
ステップ３７：基地局から端末へマッチング通知が送信される。マッチング通知は、例えば、マッチした相手の条件、人数等を含む。必要に応じて、マッチングした相手の属性情報も併せて送信され、次のステップ３８で、許諾可否の判断の参考にされる場合もある。
【０１３１】
ステップ３８：端末から基地局へ、端末のユーザ自身の存在を相手側に報せてもよいかどうかの許諾可否情報が送信される。
【０１３２】
ステップ３９：許諾可否情報は基地局から制御局へ送信される。
【０１３３】
ステップ４０：許諾可否情報は制御局からサービス提供サーバへ送信される。
【０１３４】
サービス提供サーバは、マッチした人からの許諾可否情報を収集し、自分の存在を相手に報せても構わない旨を返答したユーザを、最終的に相互の存在を報せるユーザのグループとして選択する。
【０１３５】
ステップ４１：サービス提供サーバは、最終的に選択されたユーザのグループの各メンバーに対して相互に相手の電話番号、メールアドレス等のアクセス情報を準備し、制御局及び基地局を介して、各メンバーの端末へ送信する（ステップ４２、ステップ４３）。
【０１３６】
次に、本発明の第１０実施例によるユビキタスマッチングシステムについて説明する。この第１０実施例によるユビキタスマッチングシステムの構成は、例えば、図６に示した低感度基地局を利用する本発明の第２実施例によるユビキタスマッチングシステムと構成と類似している。
【０１３７】
本実施例では、端末位置情報取得システム６は、端末から発信される移動局番号を起点情報として、端末の位置を検出する。移動局番号は、携帯端末から送信される発呼信号に含まれる端末識別番号である。本実施例では、移動局番号を送信するため、携帯端末は、発呼要求時以外でもこの移動局番号を送信できるように、移動局番号送信モードを具備するか、或いは、ユーザ操作により移動局番号を送信する機能を具備する。この移動局番号は、端末を識別するための番号であり、通信事業者の指定によって、移動局（端末）製造業者が端末本体に設定する番号である。この移動局番号だけでは、通信業者が提供する通信サービスを用いて、携帯端末（携帯端末の所有者）へ情報を送信することは不可能である。
【０１３８】
本実施例では、通信事業者がユビキタスマッチングサービスを提供するサービス事業者と機能分担する状況を想定している。通信事業者は、移動局番号に対応する加入者番号、メールアドレス等を管理し、ユーザへの情報送信機能だけを提供する。一方、サービス事業者は、移動局番号の検出による端末（ユーザ）位置検出、並びに、移動局番号と属性情報のマッチングを提供する。
【０１３９】
本実施例では、サービス提供サーバは、ユーザ管理サーバ（サービス事業者側）と、送信サーバ（通信事業者側）と、により構成される。ユーザ管理サーバは、端末（ユーザ）位置とユーザ属性情報の管理を行う。端末の位置検出は、サービス事業者が設置した低感度基地局によって行われる。送信サーバは、マッチングした人への情報送信を通信事業者の送信サーバへ要求する。
【０１４０】
尚、本実施例では、サービス事業者は、通信事業者から移動局番号の情報を受信することについて了承を得ていることを前提としている。
【０１４１】
図１７は、本発明の第１０実施例によるユビキタスマッチングシステムの動作シーケンス説明図である。
【０１４２】
ユーザ管理サーバには、サービス会員の通信端末への送信のための送信アドレスとして、端末識別番号（例えば、上述の移動局番号）が事前に登録されている。ユーザ管理サーバは、端末（ユーザ）の位置管理、アドレス帳データ及び属性情報・要求条件データを管理する。
【０１４３】
ユーザ管理サーバは、低感度基地局ＩＤから端末（ユーザ）の位置を取得し、端末識別番号により端末（ユーザ）を識別し、事前登録された属性情報を管理する。また、ユーザ管理サーバは、端末識別情報と属性情報・要求条件のマッチングを検出し、送信サーバに端末識別番号に対応した端末への送信を要求する。
【０１４４】
送信サーバは、端末識別番号に対応した加入者番号、メールアドレス等を格納し、ユーザ管理サーバからの要求に応じて、端末識別番号に対応した端末へ情報を送信する。
【０１４５】
ステップ５１：端末からユーザ管理サーバにアドレス帳データ及び属性情報のようなマッチング条件が送信される。ユーザ管理サーバは、ユーザのアドレス帳データ及び属性情報・要求条件データを管理する。
【０１４６】
ステップ５２：端末から低感度基地局へ端末識別番号が送信される。
【０１４７】
ステップ５３：低感度基地局からユーザ管理サーバへ、低感度基地局ＩＤ及び端末識別番号が送信される。
【０１４８】
ユーザ管理サーバは、端末（ユーザ）位置と、アドレス帳データ、属性情報・要求条件の照合・マッチングを行う。
【０１４９】
ステップ５４：ユーザ管理サーバから送信サーバへマッチングしたユーザに関するマッチング通知の送信が要求される。
【０１５０】
ステップ５５：送信サーバから基地局・制御局へ、所定の番号又はアドレスが指定されたマッチング通知の送信要求がなされる。
【０１５１】
ステップ５６：基地局・制御局から端末へマッチング通知が送信される。マッチング通知は、例えば、マッチした相手の条件、人数等を含む。必要に応じて、マッチングした相手の属性情報も併せて送信され、次のステップ５７で、許諾可否の判断の参考にされる場合もある。
【０１５２】
ステップ５７：端末から基地局・制御局へ、端末のユーザ自身の存在を相手側に報せてもよいかどうかの許諾可否情報が送信される。
【０１５３】
ステップ５８：許諾可否情報は基地局・制御局から送信サーバへ送信される。
【０１５４】
ステップ５９：許諾可否情報は送信サーバからユーザ管理サーバへ送信される。
【０１５５】
ステップ６０：ユーザ管理サーバは、最終的に選択されたユーザのグループの各メンバーに対して相互に相手の電話番号或いはメールアドレス等のアクセス情報を準備し、送信サーバに対して、アクセス情報を各メンバーに送信するように要求する。
【０１５６】
ステップ６１：送信サーバは、アクセス情報を、相手の電話番号或いはメールアドレスに変換し、基地局・移動局を介して、各メンバーの端末へ送信する（ステップ６２）。
【０１５７】
ユーザ管理サーバは、マッチした人からの許諾可否情報を収集し、自分の存在を相手に報せても構わない旨を返答したユーザを、最終的に相互の存在を報せるユーザのグループとして選択する。
【０１５８】
アドレス帳データに、相手先として、電話番号やメールアドレスではなく、端末識別番号が掲載されている場合には、送信サーバにアクセス情報の変換を依頼する。
【０１５９】
ステップ６０’：ユーザ管理サーバは、最終的に選択されたユーザのグループの各メンバーに対して相互に相手の端末識別番号を準備し、送信サーバに対して、アクセス情報を各メンバーに送信するように要求する。
【０１６０】
ステップ６１’：送信サーバは、相手の端末識別番号を、相手の電話番号或いはメールアドレスに変換し、基地局・移動局を介して、各メンバーの端末へ変換後のアクセス情報を送信する（ステップ６２）。
【０１６１】
次に、本発明の第１１実施例によるユビキタスマッチングシステムについて説明する。この第１１実施例によるユビキタスマッチングシステムの構成は、例えば、図１０に示したＩＤ送信機及びＩＤ受信機を利用する本発明の第４実施例によるユビキタスマッチングシステムと同様の構成である。
【０１６２】
本実施例では、端末位置情報取得システム６は、携帯端末に付属したＩＤ送信機から送信される携帯端末所有者ＩＤを起点情報として、端末の位置を検出する。ＩＤ送信機は、携帯端末の所有者が携帯し、好ましくは、携帯端末に内蔵されている。携帯端末所有者ＩＤは、ＩＤ受信機によって受信され、ＩＤ受信機が携帯端末所有者の存在する位置を検出する。
【０１６３】
携帯端末とは別個にＩＤ送信機を設けることによって、サービス事業者は、通信事業者とは独立してサービスを提供することが可能になる。受信装置としてのＩＤ受信機も通信事業者が設置している基地局とは別個に設けられる。
【０１６４】
本実施例によれば、ユビキタスマッチングサービスにおける位置検出及びマッチングの機能は、サービス事業者が単独で（通信事業者からの協力無しに）提供することができる。サービス事業者は、携帯端末所有者ＩＤと携帯端末の加入者番号若しくはメールアドレスを結び付けることにより、サービスを提供することができる。サービス事業者は、通信事業者が提供する通信インフラを一般のユーザの立場で利用するだけである。
【０１６５】
本実施例では、サービス提供サーバは、ユーザ管理サーバ（サービス事業者側）と、送信サーバ（サービス事業者側）と、により構成される。ユーザ管理サーバは、端末（ユーザ）位置とユーザ属性情報の管理を行う。端末の位置検出は、サービス事業者が設置したＩＤ受信機によって行われる。送信サーバは、携帯端末所有者ＩＤを携帯端末の加入者番号、メールアドレス等に変換する。送信サーバは、マッチングした人への情報送信を通信事業者の通信インフラを経由してユーザへ送信する。
【０１６６】
図１８は、本発明の第１１実施例によるユビキタスマッチングシステムの動作シーケンス説明図である。
【０１６７】
ユーザ管理サーバには、サービス会員の通信端末への送信のための送信アドレスが事前に登録されている。ユーザ管理サーバは、端末（ユーザ）の位置管理、アドレス帳データ及び属性情報・要求条件データを管理する。
【０１６８】
ユーザ管理サーバは、ＩＤ受信機から端末（ユーザ）の位置を取得し、ＩＤ送信機から発信されたＲＦＩＤ識別番号（上述の携帯端末所有者ＩＤに対応している）により端末（ユーザ）を識別し、事前登録された属性情報を管理する。また、ユーザ管理サーバは、端末識別情報と属性情報・要求条件のマッチングを検出し、送信サーバにＲＦＩＤ識別番号に対応した送信アドレス（端末）への送信を要求する。
【０１６９】
送信サーバは、ＲＦＩＤ識別番号に対応した加入者番号、メールアドレス等の送信アドレスを格納し、ユーザ管理サーバからの要求に応じて、ＲＦＩＤ識別番号に対応した端末へ情報を送信する。
【０１７０】
ステップ５１：端末からユーザ管理サーバにアドレス帳データ及び属性情報のようなマッチング条件が送信される。ユーザ管理サーバは、ユーザのアドレス帳データ及び属性情報・要求条件データを管理する。
【０１７１】
ステップ５２’：端末（ユーザ）からＩＤ受信機へＲＦＩＤ識別番号が送信される。
【０１７２】
ステップ５３’：ＩＤ受信機からユーザ管理サーバへ、ＩＤ受信機ＩＤ及びＲＦＩＤ識別番号が送信される。
【０１７３】
ユーザ管理サーバは、端末（ユーザ）位置と、アドレス帳データ、属性情報・要求条件の照合・マッチングを行う。
【０１７４】
ステップ５４：ユーザ管理サーバから送信サーバへマッチングしたユーザに関するマッチング通知の送信が要求される。
【０１７５】
ステップ５５：送信サーバから基地局・制御局へ、所定の番号又はアドレスが指定されたマッチング通知の送信要求がなされる。
【０１７６】
ステップ５６：基地局・制御局から端末へマッチング通知が送信される。マッチング通知は、例えば、マッチした相手の条件、人数等を含む。必要に応じて、マッチングした相手の属性情報も併せて送信され、次のステップ５７で、許諾可否の判断の参考にされる場合もある。
【０１７７】
ステップ５７：端末から基地局・制御局へ、端末のユーザ自身の存在を相手側に報せてもよいかどうかの許諾可否情報が送信される。
【０１７８】
ステップ５８：許諾可否情報は基地局・制御局から送信サーバへ送信される。
【０１７９】
ステップ５９：許諾可否情報は送信サーバからユーザ管理サーバへ送信される。
【０１８０】
ユーザ管理サーバは、マッチした人からの許諾可否情報を収集し、自分の存在を相手に報せても構わない旨を返答したユーザを、最終的に相互の存在を報せるユーザのグループとして選択する。
【０１８１】
ステップ６０：ユーザ管理サーバは、最終的に選択されたユーザのグループの各メンバーに対して相互に相手の電話番号或いはメールアドレス等のアクセス情報を準備し、送信サーバに対して、アクセス情報を各メンバーに送信するように要求する。
【０１８２】
ステップ６１：送信サーバは、アクセス情報を、相手の電話番号或いはメールアドレスに変換し、基地局・移動局を介して、各メンバーの端末へ送信する（ステップ６２）。
【０１８３】
ユーザ管理サーバは、マッチした人からの許諾可否情報を収集し、自分の存在を相手に報せても構わない旨を返答したユーザを、最終的に相互の存在を報せるユーザのグループとして選択する。
【０１８４】
ステップ６０’：ユーザ管理サーバは、最終的に選択されたユーザのグループの各メンバーに対して相互に相手の電話番号やメールアドレスなどのアクセス情報を準備し、送信サーバに対して、アクセス情報を各メンバーに送信するように要求する。
【０１８５】
ステップ６１’：送信サーバは、相手の電話番号或いはメールアドレス等のアクセス情報を、基地局・移動局を介して、各メンバーの端末へ送信する（ステップ６２）。
【０１８６】
以上の通り、本発明のユビキタスマッチングシステムの種々の実施例において、ユーザは、サービス事業者のサーバに予め、特定の人物、例えば、友人、知人の電話番号、メールアドレスや、接触を持ちたい（不特定の）人物の属性情報（例えば、性別、年齢、趣味嗜好、特技、所有物など）を登録しておく。ユーザは、低感度基地局を用いた携帯電話機、無線ＬＡＮ端末、ＰＨＳ端末、ＩＤ送信機＋ＩＤ受信機、ＧＰＳ付き携帯電話の位置検出手段と通信機能を具備する端末を所持する。ユーザ同士が同一スポットエリアに来たとき、サーバは両者にその人物の存在を報せる。両者が許諾した段階で、両者の通信を可能にする。
【０１８７】
尚、マッチングされるユーザの数は、上述の通り、二人に限定されない。マッチングしたユーザのグループを形成することが可能である。
【０１８８】
ユビキタスマッチングサービスは、会員向けのサービスであり、サービスの信頼性、マッチング対象の人物の信頼性を確保する。
【０１８９】
以上、本発明の代表的な実施例を説明したが、本発明は、上記の実施例に限定されることなく、特許請求の範囲内において、種々変更・応用が可能である。
【０１９０】
【発明の効果】
本発明は、通信システムと位置センシングシステムを組み合わせることにより、近くに居る友人・知人や共通の意識を持っている人などのように相互に要求条件を満たす人物の存在を相互に報知するユビキタスマッチングを実現することが可能である。
【図面の簡単な説明】
【図１】本発明の第１実施例によるユビキタスマッチングシステムの構成図である。
【図２】本発明の第１実施例によるユビキタスマッチングシステムの動作フローチャートである。
【図３】ユーザ特定情報の一例の説明図である。
【図４】アドレス帳によるマッチング条件の一例の説明図である。
【図５】属性情報によるマッチング条件の一例の説明図である。
【図６】本発明の第２実施例によるユビキタスマッチングシステムの構成図である。
【図７】低感度基地局の一例の説明図である。
【図８】本発明の第２実施例による端末位置検出方法のフローチャートである。
【図９】本発明の第３実施例によるユビキタスマッチングシステムの構成図である。
【図１０】本発明の第４実施例によるユビキタスマッチングシステムの構成図である。
【図１１】本発明の第５実施例によるユビキタスマッチングシステムの構成図である。
【図１２】制御局の一例の構成図である。
【図１３】本発明の第６実施例によるユビキタスマッチングシステムの構成図である。
【図１４】本発明の第７実施例によるユビキタスマッチングシステムの動作シーケンス説明図である。
【図１５】本発明の第８実施例によるユビキタスマッチングシステムの動作シーケンス説明図である。
【図１６】本発明の第９実施例によるユビキタスマッチングシステムの動作シーケンス説明図である。
【図１７】本発明の第１０実施例によるユビキタスマッチングシステムの動作シーケンス説明図である。
【図１８】本発明の第１１実施例によるユビキタスマッチングシステムの動作シーケンス説明図である。
【符号の説明】
１，２    端末
４    サービス提供サーバ
５    通信システム
６    端末位置情報システム
４１    位置情報収集部
４２    ユーザ登録部
４３    データ記憶部
４４    マッチング部
４５    アクセス情報通知部
【図１】
2004328308.tif 000003
【図２】
2004328308.tif 000004
【図３】
2004328308.tif 000005
【図４】
2004328308.tif 000006
【図５】
2004328308.tif 000007
【図６】
2004328308.tif 000008
【図７】
2004328308.tif 000009
【図８】
2004328308.tif 000010
【図９】
2004328308.tif 000011
【図１０】
2004328308.tif 000012
【図１１】
2004328308.tif 000013
【図１２】
2004328308.tif 000014
【図１３】
2004328308.tif 000015
【図１４】
2004328308.tif 000016
【図１５】
2004328308.tif 000017
【図１６】
2004328308.tif 000018
【図１７】
2004328308.tif 000019
【図１８】
2004328308.tif 000020